(57)【要約】  本開示は、近心−遠心方向で複合湾曲を含むことにより、頬側表面の輪郭に対する、より密接した適合をもたらす、歯接合基部を有する、大臼歯装置を提供する。この装置はまた、凸状湾曲を有する複数の表面を含むことにより、通路の遠心区画への湾曲テーパを提供する、アーチワイヤ通路への漏斗状入口も特徴とし得る。それらの連続湾曲表面は、アーチワイヤの端部を通路内に誘導すると共に、挿入を妨げる恐れがある急激な移行区域を、最小限に抑えるか又は回避する。本開示の装置は、装置のトルク面に実質的に平行な、装置本体部上の頬側表面を含み得る。
2017524431.tif 000002
【特許請求の範囲】
【請求項１】
歯科矯正装置であって、
歯牙構造に接合するための歯対向表面を有する、基部と、
前記基部から外向きに延在する本体部であって、前記本体部が、顔面側壁、舌側壁、咬合側壁、及び歯肉側壁を含み、前記壁が、ワイヤの受容のための、近心−遠心方向で延在する通路を画定し、前記通路が、近心区画及び遠心区画を含む、本体部と、
を備え、
前記近心区画が、入口と、前記入り口から前記遠心区画に向けてテーパ状の、少なくとも２つの凸状壁部分とを含み、前記凸状壁部分が、連続的湾曲を有する区画を含む、
歯科矯正装置。
【請求項２】
前記近心区画が、３つの凸状壁部分を含む、請求項１に記載の歯科矯正装置。
【請求項３】
前記咬合側壁、前記歯肉側壁、及び前記顔面側壁が、それぞれ凸状壁部分を含む、請求項２に記載の歯科矯正装置。
【請求項４】
前記舌側壁上に、凸状壁部分を更に備える、請求項３に記載の歯科矯正装置。
【請求項５】
前記凸状壁部分が、前記入口と前記遠心区画との間に、連続湾曲テーパを提示する、請求項１〜４に記載の歯科矯正装置。
【請求項６】
前記凸状壁部分のうちの少なくとも１つが、複合湾曲を含む、請求項１〜５に記載の歯科矯正装置。
【請求項７】
少なくとも１つの凸状壁部分が、前記入口と前記遠心区画との間に、実質的に平面状のランド部を含む、請求項１〜４に記載の歯科矯正装置。
【請求項８】
前記基部が、前記本体部の下に存在する中央部分と、前記中央部分から近心方向又は遠心方向で離間配置され、前記中央部分に対して回転している、少なくとも１つのウィング部とを含み、前記中央部分が、第１の曲率半径を含み、前記ウィング部が、前記第１の半径とは異なる第２の曲率半径を含むことにより、前記基部が、概して咬合側−歯肉側軸線に沿って見た場合、複合的な近心遠心湾曲を呈する、請求項１に記載の歯科矯正装置。
【請求項９】
近心ウィング部及び遠心ウィング部を含み、前記近心ウィング部及び前記遠心ウィング部が、それぞれ前記第２の曲率半径を含む、請求項８に記載のバッカルチューブ装置。
【請求項１０】
前記ウィング部が、複合湾曲の線で前記中央部分に対して回転しており、前記線が、概して咬合側−歯肉側方向で、前記基部にわたって延在する、請求項８に記載のバッカルチューブ装置。
【請求項１１】
前記基部が、近心−遠心長さ、及び咬合側−歯肉側幅を含み、前記複合輪郭の線が、前記基部の前記咬合側−歯肉側の全幅にわたって延在する、請求項１０に記載のバッカルチューブ装置。
【請求項１２】
バッカルチューブ装置であって、
基部から外向きに延在する本体部であって、近心−遠心方向で延在する通路を画定する、第１の壁を含む、本体部と、
歯牙構造に接合するための歯対向表面を有し、前記本体部の下に存在する中央部分、及び、前記中央部分から近心方向若しくは遠心方向で離間配置され、前記中央部分に対して回転している、少なくとも１つのウィング部を含む、基部と、
を含み、前記中央部分が、第１の曲率半径を含み、前記ウィング部が、前記第１の半径とは異なる第２の曲率半径を含むことにより、前記基部が、概して咬合側−歯肉側軸線に沿って見た場合、複合的な近心遠心湾曲を呈する、
バッカルチューブ装置。
【請求項１３】
前記中央部分が、前記基部の咬合側縁部に隣接する陥凹を含む、請求項１２に記載のバッカルチューブ装置。
【請求項１４】
近心ウィング部及び遠心ウィング部を含み、前記近心ウィング部及び前記遠心ウィング部が、それぞれ前記第２の曲率半径を含む、請求項１２に記載のバッカルチューブ装置。
【請求項１５】
近心ウィング部及び遠心ウィング部を含み、前記近心ウィング部が、第２の曲率半径を含み、前記遠心ウィング部が、第３の曲率半径を含む、請求項１２に記載のバッカルチューブ装置。
【請求項１６】
前記ウィング部が、複合湾曲の線で前記中央部分に対して回転しており、前記線が、概して咬合側−歯肉側方向で、前記基部にわたって延在する、請求項１２に記載のバッカルチューブ装置。
【請求項１７】
近心の複合湾曲の線で前記中央部分に対して回転している、近心ウィング部と、遠心の複合湾曲の線で前記中央部分に対して回転している、遠心ウィング部とを含み、前記近心の複合湾曲の線及び前記遠心の複合湾曲の線が、前記基部の咬合側歯肉側の全幅にわたって延在する、請求項１２に記載のバッカルチューブ装置。
【請求項１８】
基部が、咬合側縁部及び歯肉側縁部を含み、前記近心の複合湾曲の線及び前記遠心の複合湾曲の線が、前記咬合側縁部及び前記歯肉側縁部で、互いに離間配置される、請求項１７に記載のバッカルチューブ装置。
【請求項１９】
前記本体部が、顔面側壁、舌側壁、咬合側壁、及び歯肉側壁を含み、前記壁が、ワイヤの受容のための、近心−遠心方向で延在して、近心区画及び遠心区画を含む、通路を画定し、前記近心区画が、漏斗状入口を含み、前記遠心区画に向けてテーパ状の、少なくとも３つの凸状壁部分を含み、前記凸状壁部分が、連続的湾曲を有する、請求項１８に記載のバッカルチューブ装置。
【請求項２０】
バッカルチューブ装置であって、
歯表面に接合するための基部と、前記基部から外向きに延在する本体部とを含み、前記基部が、トルク面に接する曲面を含み、前記本体部が、外側の頬側表面と、近心−遠心方向で延在するアーチワイヤスロットを画定する、第１の壁部分とを含み、
前記外側の頬側表面が、第２の平面を画定し、前記第２の平面は、前記トルク面に実質的に平行であるが、いずれの壁部分も、前記トルク面に平行ではない、
バッカルチューブ装置。
【発明の詳細な説明】
【背景技術】
【０００１】
歯科矯正療法は、転位（又は、歪んだ）歯の管理下治療に関する、歯科の専門領域である。一般に、そのような治療は、１つ以上の歯科矯正装置を使用して、軽度の持続的な力を、歯に対して慎重に適用することを伴う。これらの力は、周囲の骨構造の変化を刺激することにより、歯を、口腔内のそれらの適正な位置へと、徐々に方向付けする。歯科矯正療法は、衛生状態を維持する容易さ、顔貌の改善、並びに咬合機能の改善を含めた、多くの利益をもたらし得る。治療は、多くの場合、症例の複雑性に応じて、２〜３年継続する。
【０００２】
固定式装置、又は「ブレース」は、歯科矯正治療の１つのタイプを表すものであり、ブラケットと呼ばれる小さいスロット付き装置が、歯に取り付けられる。次いで、弾性のＵ字形状のアーチワイヤが、それらのブラケットのスロット内に定置される。ブラケットに結紮されると、アーチワイヤは、治療の過程で歯をそれらの適正な位置に誘導する、軌道としての役割を果たす。治療の開始時には、アーチワイヤは、結紮を容易にするため、また歯がほぐれる際に、歯に加えられる力を比較的小さく保つためにも、小さい断面寸法を有する傾向がある。治療の後期には、歯は、それらの標的位置に接近し、漸進的に、より大きい（かつ、より堅固な）ワイヤを使用することにより、関連する歯に対する施術者の制御を改善することが可能となる。
【０００３】
一般に、アーチワイヤの端部は、患者の大臼歯に固着される、通常バッカルチューブと呼ばれる管形状の大臼歯装置内に捕捉される。バッカルチューブは、典型的には、近心−遠心方向で延在する、囲繞された通路を特徴とする。この囲繞された通路は、患者の口腔内の軟組織に、アーチワイヤの端部が接触することを防ぐために役立つものであり、そうでない場合には、この接触により、疼痛及び負傷がもたらされる恐れがある。一部の場合には、バッカルチューブには、所望される場合に、そのチューブをブラケットに変更するために開放することが可能な、通路の一方の側に沿ったコンバーチブルキャップが設けられる。
【０００４】
アーチワイヤは、ブラケットに結紮されている場合、初期には歪曲しているが、その元の形状に向けて徐々に戻ることにより、歯の移動を所望の位置に向けて誘導する軌道として機能する。これらのブラケット、チューブ、及びアーチワイヤは、全体として「ブレース」として知られる。
【発明の概要】
【課題を解決するための手段】
【０００５】
従来のバッカルチューブ及び大臼歯装置に関する問題点としては、接合基部と大臼歯表面との不十分な適合、囲繞されたアーチワイヤ通路に、アーチワイヤ（特に、治療の終結時での、より大きいワイヤ）を通す困難性の増大、及び、接合中に圧力が加えられる際に、装置が傾くか又は回転する傾向が挙げられる。
【０００６】
本開示は、上記で概説された問題点に対処するように特に設計された、大臼歯装置を提供することにより、治療施術者に、治療の間の大臼歯装置の装着及び方向付けに対する、より大きい信頼を与えるものである。本開示の大臼歯装置は、近心−遠心方向での複合湾曲を含むことにより、頬側表面の輪郭に対する、より密接した適合をもたらす、歯接合基部を特徴とする。この装置はまた、凸状湾曲を有する複数の表面を含む、アーチワイヤ通路への漏斗状入口も特徴とし得る。それらの湾曲表面は、アーチワイヤの端部をスロット内に誘導すると共に、挿入を妨げる恐れがある急激な移行区域を、最小限に抑えるか又は回避する。更には、本開示の装置は、トルク面に実質的に平行な、装置本体部上の頬側表面を含み得る。トルク面に頬側表面を整合させることにより、大臼歯表面に装置を接合するために使用される加圧に対する、回転の危険性が低減される。
【０００７】
一態様では、本開示は、歯牙構造に接合するための歯対向表面を有する基部と、その基部から外向きに延在する本体部とを備える、歯科矯正装置を提供する。本体部は、顔面側壁、舌側壁、咬合側壁、及び歯肉側壁を含み、これらの壁は、ワイヤの受容のための、本体部にわたって近心−遠心方向で延在する通路を画定する。この通路は、近心区画及び遠心区画を含み、近心区画は、入口と、その入り口から遠心区画に向けてテーパ状の、少なくとも２つの凸状壁部分とを含み、それらの凸状壁部分は、連続的湾曲を有する区画を含む。
【０００８】
別の態様では、本開示は、基部から外向きに延在する本体部を含む、バッカルチューブ装置を提供し、この本体部は、近心−遠心方向で延在する通路を画定する、第１の壁を含む。基部は、歯牙構造に接合するための歯対向表面を有し、本体部の下に存在する中央部分と、この中央部分から近心方向又は遠心方向で離間配置され、中央部分に対して回転している、少なくとも１つのウィング部とを含む。中央部分は、第１の曲率半径を含み、ウィング部は、第１の半径とは異なる第２の曲率半径を含むことにより、この基部は、概して咬合側−歯肉側軸線に沿って見た場合、複合的な近心−遠心湾曲を呈する。
【０００９】
更に別の態様では、本開示は、歯表面に接合するための基部と、その基部から外向きに延在する本体部とを含み、基部が、トルク面に接する曲面を含む、バッカルチューブ装置を提供する。本体部は、外側の頬側表面と、近心−遠心方向で延在するアーチワイヤスロットを画定する、第１の壁部分とを含む。外側の頬側表面は、第２の平面を画定し、この第２の平面は、トルク面に実質的に平行であるが、いずれの壁部分も、トルク面に平行ではない。
【００１０】
用語「備える」及びその変化形は、これらの用語が説明及び請求項内で現れる場合に、限定的な意味を有するものではない。そのような用語は、記述されるステップ若しくは要素、又はステップの群若しくは要素の群を包含することを示唆するが、いかなる他のステップ若しくは要素、又は他のステップの群若しくは要素の群も排除しないことを示唆するものであると、理解されるであろう。「からなる（consisting of）」とは、その語句「からなる」に続くあらゆるものを包含し、それらに限定されることを意味する。それゆえ、語句「からなる」は、列挙された要素が必要又は必須のものであり、他の要素が存在し得ないことを示す。「から本質的になる（consisting essentially of）」とは、その語句の後に列挙されるあらゆる要素を含み、その列挙された要素に関して本開示で指定される活動若しくは作用に干渉又は寄与しない、他の要素に限定されることを意味する。それゆえ、語句「から本質的になる」とは、列挙された要素は、必要又は必須のものであるが、他の要素は任意選択的なものであり、列挙された要素の活動又は作用に実質的に影響を及ぼすか否かに応じて、存在する場合もあれば、存在しない場合もあることを示す。
【００１１】
「好ましい」及び「好ましくは」という言葉は、特定の状況下で特定の利益を提供することが可能な、本開示の実施形態を指す。しかしながら、他の実施形態もまた、同じ状況又は他の状況下で好ましい場合がある。更には、１つ以上の好ましい実施形態の記載は、他の実施形態が有用ではないことを示唆するものではなく、本開示の範囲から他の実施形態を排除することを意図するものではない。
【００１２】
本出願では、「ａ」、「ａｎ」、及び「ｔｈｅ」などの用語は、単数形の存在のみを指すことを意図するものではなく、例示のために具体的な例を使用することが可能な、一般的な部類を含むことを意図するものである。用語「ａ」、「ａｎ」、及び「ｔｈｅ」は、用語「少なくとも１つの」と互換的に使用される。その後に列挙が続く「〜のうちの少なくとも１つ」及び「〜のうちの少なくとも１つを備える」という語句は、その列挙内の項目のうちの任意の１つ、及び、その列挙内の項目のうちの２つ以上の任意の組み合わせを指す。
【００１３】
本明細書で使用するとき、用語「又は」は、全般的に、その内容が明確に他を指示するものではない限り、「及び／又は」を包含する、その通常の意味で用いられる。
【００１４】
用語「及び／又は」は、列挙される要素のうちの１つ又は全て、あるいは、列挙される要素のうちの任意の２つ以上の組み合わせを意味する。
【００１５】
本明細書ではまた、全ての数は、用語「約」によって、また好ましくは用語「厳密に」によって、修飾されるものと想定される。本明細書で、測定された量に関して使用するとき、用語「約」は、その測定を実施し、かつ測定の目的及び使用された測定機器の精度に応じた水準の注意を払う当業者によって予期されるであろう、その測定された量における変動を指す。
【００１６】
本明細書ではまた、端点による数値範囲の記載は、その範囲内に包摂される全ての数、並びにその端点を含むものである（例えば、１〜５は、１、１．５、２、２．７５、３、３．８０、４、５などを含む）。
【００１７】
特性又は属性に対する修飾語として本明細書で使用するとき、用語「概して」とは、特に定めのない限り、その特性又は属性が、当業者によって容易に認識されるものであるが、絶対的な精度又は完全な一致を必要とするものではないこと（例えば、定量化可能な特性に関しては、＋／−２０％の範囲内）を意味する。用語「実質的に」とは、特に定めのない限り、高い近似度（例えば、定量化可能な特性に関しては、＋／−１０％の範囲内）を意味するが、この場合もまた、絶対的な精度又は完全な一致を必要とするものではない。同じ、等しい、均一な、一定の、厳密に、などの用語は、絶対的な精度又は完全な一致を必要とするものではなく、特定の環境に適用可能な、通常の公差又は計測誤差の範囲内であるものと理解される。
【００１８】
本開示の上記の概要は、開示される各実施形態、又は本開示の全ての実装を説明することを意図するものではない。以下の説明は、例示的実施形態を、より詳細に例示するものである。本出願の全体を通じた幾つかの箇所では、実施例の列挙を通じて指針が提供されており、これらの実施例は、様々な組み合わせで使用することができる。いずれの場合にも、記載された列挙は、代表的な群としての役割のみを果たすものであり、排他的な列挙として解釈されるべきではない。
【図面の簡単な説明】
【００１９】
【図１】歯科矯正装置が歯に固定され、その装置にアーチワイヤが接続された、歯科矯正治療を受けている例示的な患者の上歯を示す正面図である。
【図２】図１に示される歯、装置、及びアーチワイヤの、底面図若しくは咬合側図である。
【図３】図１及び図２に示される、大臼歯のうちの少なくとも１つに接続される装置のうちの１つの、その近心面、頬側面、及び咬合側面に向けた方向で装置を見た拡大斜視図である。
【図４】図３に示される装置の、その近心面に向けて装置を見た端面図である。
【図５】図３及び図４に示される装置の、その遠心面に向けて装置を見た端面図である。
【図６】図３〜図６に示される装置の、その頬側面に向けて装置を見た正面図である。
【図７】図３〜図７に示される装置の、その歯肉側面に向けて装置を見た上面図である。
【図８】図６の線８−８にわたる断面図である。
【図９】図６の線９−９にわたる断面図である。
【図１０】図３〜図９に示される装置の基部の、その頬側面に向けて基部を見た正面図である。
【図１１】図１０の基部の、その歯肉側面を見た底面図である。
【図１２】図１０、図１１の基部の、その咬合側面を見た上面図である。
【００２０】
上記で特定された図は、本開示の幾つかの実施形態を記載するものであるが、本説明で言及されるように、他の実施形態もまた想到される。全ての場合に、本開示は、限定することによってではなく、代表することによって本発明を提示する。多数の他の修正及び実施形態を、当業者によって考案することができ、それらは、本発明の原理の範囲及び趣旨の範囲内にあることを理解されたい。
【００２１】
定義
「近心」とは、患者の湾曲した歯列弓の中心に向けた方向を意味する。「遠心」とは、患者の湾曲した歯列弓の中心から離れる方向を意味する。
【００２２】
「咬合側」とは、患者の歯の外側先端部に向けた方向を意味する。
【００２３】
「歯肉側」とは、患者の歯茎又は歯肉に向けた方向を意味する。
【００２４】
「頬側」とは、患者の頬に向けた方向を意味する。
【００２５】
「唇側」とは、患者の唇に向けた方向を意味する。
【００２６】
「舌側」とは、患者の舌に向けた方向を意味する。
【発明を実施するための形態】
【００２７】
図１は、歯科矯正療法を受けている歯科矯正患者の上顎歯列弓２０の実施例を示す。数字２２によって概括的に指定される、歯科矯正ブレースは、上顎歯列弓２０の歯に接続されている。ブレース２２は、以下でより詳細に説明されるように、アーチワイヤを伴う装置のセットを含み、それらの装置内にアーチワイヤが受容される。
【００２８】
図２は、ブレース２２を伴う上顎歯列弓２０の、歯の外側又は咬合側の先端部に向けて上向き方向で見た、拡大図である。上顎歯列弓２２は、左側四分円及び右側四分円を含み、各四分円は、中切歯２４、側切歯２６、犬歯２８、第１小臼歯３０、及び第２小臼歯３２を有する。更には、左側四分円及び右側四分円のそれぞれは、第１大臼歯３４及び第２大臼歯３６を含む。
【００２９】
図１及び図２に示される上顎歯列弓２２の図は、歯列の一例に過ぎず、多くの変化形が可能である。例えば、患者は、永久歯のうちの一部が未だ萌出していない場合の青年期患者に起こり得るように、図示の歯のうちの１つ以上が欠損している場合もある。あるいは、特に、歯列弓の全体的サイズが比較的小さい場合には、叢生を低減するために、歯科矯正治療の前に１つ以上の歯が抜去されている場合もある。
【００３０】
上側ブレース２２は、上顎弓２０の歯に接続された、装置のセットを含む。具体的には、ブレース２２は、左側四分円及び右側四分円のそれぞれに、中切歯２４に結合された中切歯装置３８、側切歯２６に結合された側切歯装置４０、及び犬歯２８に結合された犬歯装置４２を含む。ブレース２２はまた、各四分円内に、第１小臼歯３０に結合された第１小臼歯装置４４、第２小臼歯３２に結合された第２小臼歯装置４６、第１大臼歯３４に結合された第１大臼歯装置４８、及び第２大臼歯３６に結合された第２大臼歯装置１００も含む。
【００３１】
ブレース２２は、弾性材料で作製されたアーチワイヤ５２を更に含む。好適な材料としては、例えば、ニチノールとステンレス鋼との合金などの、金属材料が挙げられる。平面視では、アーチワイヤ５２は、全体的に、これらの四分円の双方に沿って延在する略「Ｕ」字形状の構成を有する。
【００３２】
図３〜図９で、より詳細に大臼歯装置１００を示す。装置１００は、大臼歯の外側エナメル質表面に結合させるための、外側の歯対向表面１０４を備える、基部１０２を有する。したがって、この実施形態での基部１０２の第１面１０４はまた、舌側表面と見なすこともでき、第２面１０６は、頬側表面と見なすことができる。本体部１３０は、基部１０２から、概して頬側方向で外向きに延在するものであり、概して近心−遠心方向で、本体部１３０を横断及び貫通して延在する、細長いアーチワイヤ通路１５０を含む。
【００３３】
この実施形態の装置１００、及び他の実施形態の歯科矯正装置は、別段の指示がない限り、本明細書では、上顎又は下顎上の歯の唇側表面に付随する、基準座標系を使用して説明される。したがって、装置１００を説明するために使用される、唇側、舌側、頬側、近心、遠心、咬合側、及び歯肉側などの用語は、その選択された基準座標系に対するものである。しかしながら、装置１００は、口腔内部で、他の歯上及び他の向きで使用することができるため、それらの実施形態は、選択された基準座標系及び記述用語に限定されるものではない。例えば、装置１００はまた、前歯の表面に結合させることもできる。基準座標系に変更がある場合、本明細書で使用される記述用語を直接適用することができない点が、当業者には認識されるであろう。それにもかかわらず、これらの実施形態は、口腔内部での場所及び向きとは無関係であることが意図され、歯科矯正ブラケットの実施形態を説明するために使用される、これらの相対的用語は、図面内の実施形態の明確な説明を単に提供するためのものに過ぎない。それゆえ、頬側、唇側、舌側、近心、遠心、咬合側、及び歯肉側という相対的用語は、これらの実施形態を、特定の場所又は向きに限定するものでは決してない。
【００３４】
基部１０２は、典型的には、装置１００の対象となる歯表面の輪郭に、合致又は近似する形状を有する。図に示される例示的実施形態では、基部１０２は、大臼歯の凸形状と嵌合するように適合された方向で湾曲する、凹状の複合輪郭を有する。他の実施形態では、外側の舌側表面１０４が、本明細書で開示される複合輪郭を特徴とし得るものであり、頬側表面１０６は、実質的に異なる輪郭を有する。基部１０２の輪郭は、第１の近心−遠心曲線１０８を含む。第１の近心−遠心曲線１０８は、装置１００が歯上に装着された場合に、患者の咬合平面に平行な基準面内で見ることができ、図１１に示されている。基部１０２はまた、咬合平面に垂直な基準面内で見ることが可能な、図４に示される咬合側−歯肉側曲線１０９も含む。
【００３５】
外側の舌側表面１０４は、基部１０２と下に存在する歯との間の接着剤接合を強化するために、メッシュ、孔、隆起部、凹部、アンダーカット、マイクロエッチング表面、ガラスグリット、結合粒子、オルガノシラン処理表面、又は任意の他の既知の機械的若しくは化学的改質を含み得る。他の実装では、この基部は、基部１０２と歯牙構造との間の間隙を埋めることを支援する、固定式の圧縮性材料を含み得る。好適な圧縮性材料は、米国特許公開第２００９／０２３３２５２号（Ｃｉｎａｄｅｒ）で説明されている。
【００３６】
基部１０２は、有利には、近心−遠心方向で、更なる複合湾曲を含み得る。図１０〜図１２で最も良好に示されるように、基部１０２は、基部１０２の近心縁部及び遠心縁部に隣接して配置されるウィング部１１２、１１３、並びに、それらの近心ウィング部１１２と遠心ウィング部１１３との間に配置される中央部分１１０を含む。ウィング部１１２、１１３は、中央部分１１０に対して、基部１０２の頬側表面１０６から離れる方向で回転している。したがって、各ウィング部１１２、１１３は、基部１０２（特に、その舌側表面１０４）に、更なる近心−遠心曲線を導入し、ウィング部１１２は、近心−遠心曲線１１４を組み込み、ウィング部１１３は、近心−遠心曲線１１５を組み込む。この更なる近心−遠心曲線１１４、１１５は、中央部分１１０の第１の近心−遠心曲線１０８とは異なる半径を含むことにより、近心−遠心方向で複合湾曲を作り出す。代替的実施形態では、この基部は、近心ウィング部又は遠心ウィング部のうちの一方を含み、したがって、より少ない複合曲線を含み得る。
【００３７】
図１０〜図１２に示される基部１０２に関しては、第２の近心−遠心曲線１１４及び第３の近心−遠心曲線１１５のそれぞれは、第１の近心−遠心曲線１０８の半径よりも小さい曲率半径を有する。このことにより、特定の状況では、基部１０２の、接合の対象となる大臼歯表面の頬側湾曲の周りでの、より緊密な包み込みが可能となり得る。図示の実施形態では、第２の近心−遠心曲線１１４及び第３の近心−遠心曲線１１５は、同じ曲率半径を含むことにより、基部１０２に左右対称の外観をもたらす。他の実施形態では、第２の曲線１１４及び第３の曲線１１５は、それぞれ異なる曲率半径を有することにより、少なくとも３つの別個の近心−遠心曲線を特徴とする、基部を作り出すことができる。本開示の１つの例示的実装では、第１の近心−遠心曲線１０８は、０．６７５インチ（１．７１センチメートル）の半径を有し、第２の近心−遠心曲線１１４及び第３の近心−遠心曲線１１５は、０．２インチ（０．５センチメートル）の半径を有する。他の寸法、及び近心−遠心曲線間の他の関係性が可能であり、所望の歯の輪郭に合わせて調整することができる点が、当業者には理解されるであろう。
【００３８】
ここで図１０を参照すると、ウィング部１１２、１１３は、基部の中心及び頬側陥凹１１９から離間配置された、複合湾曲の線１１６、１１７に沿って、中央部分１１０に対して回転している。複合湾曲の線１１６、１１７は、概して咬合側−歯肉側方向で、基部１０２にわたって延在する。複合湾曲の線１１６、１１７のいずれか又は双方は、咬合側−歯肉側湾曲を特徴とする基部１０２の実施形態での、弧の周りで湾曲し得る。図示の実施形態では、複合湾曲の線１１６、１１７は、基部１０２の咬合側−歯肉側横軸線１２１から角度オフセットされた、基準軸線に沿って延在する。この角度オフセットの度合は、第１大臼歯又は第２大臼歯の頬側輪郭に近似するように選択することができる。特定の実施形態では、このオフセット角「Ａ」は、少なくとも５度、他の実施形態では少なくとも１０度、他の実施形態では少なくとも１５度、他の実施形態では少なくとも２０度である。特定の実施形態では、このオフセット角は、６０度以下、一部の実施形態では５０度以下、一部の実施形態では４５度以下、一部の実施形態では３０度以下である。現時点で好ましい状況では、オフセット角Ａは、１０〜３０度である。
【００３９】
オフセット角「Ａ」で延在する場合、複合輪郭の線１１６、１１７は、中央部分１１０に、頬側−舌側軸線に沿った方向での半台形の外観を与える。他の実施形態では、複合輪郭の線１１６、１１７は、オフセット角Ａが０〜５度となるように、横軸線１２１に実質的に平行に延在し得る。複合湾曲の線１１６と複合湾曲の線１１７とでは、オフセット角Ａは、同じ場合もあれば、又は異なる場合もある。
【００４０】
複合湾曲の線１１６、１１７は、近心ウィング部１１２の一部分が、本体部１３０の一部分の下に存在するように、基部１０２の咬合側縁部１２０及び歯肉側縁部１２２で、互いに離間配置される。中央部分１１０は、一部の実施形態では、装置１００が第１大臼歯上に着座される場合に、近心頬側発育溝の内部に少なくとも部分的に受容されることが可能な、頬側陥凹１１９を含む。ウィング部１１２、１１３の典型的サイズとは異なり、頬側陥凹１１９は、基部１０２の咬合側−歯肉側の全幅には延在しない。頬側陥凹１１９は、頬側咬頭付近の、第１大臼歯の頬側表面の外観に近似することにより、歯表面に対して装置１００を正しく位置決めするための、施術者の能力を向上させる。
【００４１】
近心ウィング部１１２及び遠心ウィング部１１３によって提供される更なる湾曲は、その複合的な近心−遠心湾曲が、大臼歯の頬側表面の輪郭に、より密接して近似するため、歯対向表面１０４と大臼歯エナメル質との間に、低減された間隙をもたらす。しかしながら、特定の場合（前歯を対象とする装置の場合など）には、基部は、一方向のみに沿って湾曲する場合もあり、又は代替的に、平坦な構成を有する場合もある。
【００４２】
大臼歯装置１００は、トルク及びアンギュレーションに関して、予め調節することができる。歯のアンギュレーションは、Ｄｒ．Ｌａｗｒｅｎｃｅ  Ｆ．Ａｎｄｒｅｗｓの教示に従って、咬合平面に垂直な線に対する、臨床歯冠の顔面軸線（「ＦＡＣＣ」）の近心遠心傾斜として定義することができる（例えば、Ｌａｗｒｅｎｃｅ  Ｆ．Ａｎｄｒｅｗｓ著「Ｓｔｒａｉｇｈｔ  Ｗｉｒｅ，Ｔｈｅ  Ｃｏｎｃｅｐｔ  ａｎｄ  Ａｐｐｌｉａｎｃｅ」（Ｌ．Ａ．Ｗｅｌｌｓ  Ｃｏ．，（著作権）１９８９年）を参照）。ブラケットのアンギュレーションは、歯のアンギュレーションを提供するための、ブラケットの基部に対する、ブラケットのアーチワイヤスロットの特定の角度方向として定義することができる。歯のトルクは、咬合平面に垂直な線から測定される場合の、ＦＡＣＣの頬唇側−舌側傾斜として定義することができる。したがって、ブラケットのトルクは、所望の歯のトルクが得られるような、ブラケットの基部に対するアーチワイヤスロットの向きとして定義することができる。ブラケットのトルクは、典型的には、アーチワイヤスロット若しくはアーチワイヤ通路の指定された角度、すなわち「スロットでのトルク」、又はブラケットの歯装着表面で形成される角度、すなわち「基部でのトルク」を介して提供される。いずれの構成の下でも、装置１００には、図９内の文字「Ｂ」によって指定される、特定のトルクを提供することができる。このトルク、すなわち角度Ｂは、アーチワイヤ通路１５０の舌側壁を含む基準面１７５と、基準線１７７との間の角度に相当する。基準線１７７は、咬合側−歯肉側方向で延在し、アーチワイヤ通路１５０の近心−遠心中心及び咬合側−歯肉側中心の下の、舌側方向に位置する点で、基部表面１０４に接する。基準線１７７は、したがって、装置１００のトルク面の範囲内に存在する。
【００４３】
表Ｉは、本開示による装置に関する、例示的なトルク値及びアンギュレーション値を示す。任意選択的に、表Ｉ内のトルク値及び／又はアンギュレーション値のうちのいずれか若しくは全てを、プラスマイナス約２度で、より好ましくはプラスマイナス約１度で、以下の値から変更することができる。
【００４４】
【表１】
2017524431.tif 000003
【００４５】
図３〜図９に示される本体部１３０に再び転じると、本体部１３０は、外部を画定する、咬合側面１３１、頬側面１３３、及び歯肉側面１３５を含む。咬合側面１３１の舌側縁部、及び歯肉側面１３５の舌側縁部は、基部１０２の頬側表面１０６に一体的に接続される。当然ながら、患者の口内での装置１００の向きに応じて、歯肉側面１３４及び咬合側面１３１を、反転させることができる。
【００４６】
端面図では、図４及び図５に示されるように、側面１３１、１３３、１３５は一体的に、概して「Ｕ」字形状の構成を提示する。基部１０２の頬側表面１０６と協調させて考察する場合、側面１３１、１３３、１３５は、半台形の構成を提示する。本体部１３０は、口腔内の隣接組織（例えば、患者の頬）の刺激を低減するための、咬合側面１３１及び歯肉側面１３５の一方若しくは双方を頬側面１３３に接合する、湾曲又は丸みを帯びた外部表面を含み得る。この丸みを帯びた外部表面は、好ましくは、実質的に本体部１３０の近心−遠心の全長で延在するものであり、本体部１３０の全体サイズに応じて、様々な半径サイズにすることができる。側面１３１、１３３、１３５の近心端部領域及び遠心端部領域もまた、隣接組織の刺激を低減するための、湾曲表面を含み得る。
【００４７】
頬側面１３３は、実質的に平面状の表面１３４を含み、この表面１３４は、本開示の特定の実装では、装置のトルク面に平行な基準面（図４及び図５での「Ｐ」）内に存在する。施術者は、典型的には、歯表面への大臼歯装置の適用の間に、手用器具を介して、その大臼歯装置の頬側表面に圧力を提供する。基部及び装置本体部の向きに応じて、この圧力は、装置の中心の長手方向軸線の周りに、力のモーメントを生じさせることにより、この装置を、歯表面に対して傾かせるか又は回転させる恐れがある。トルク面に平行又は実質的に平行な、頬側面１３４を設けることは、装置１００の過度の回転又は傾きを防止若しくは低減し、規定の場所又は他の方式で所望される場所内に、ブラケットを確実に着座させるために役立つ。
【００４８】
咬合側面１３１は、基部１０２の頬側表面１０６に対して斜角で、頬側面１３３に向けて延在する、１つ以上の傾斜した平面状表面１３２を含み得る。歯肉側面１３５もまた、基部１０２の頬側表面１０６から延在する、実質的に平面状の表面１３６を含み得る。実質的に平面状の表面１３６は、典型的には、咬合側面１３１の傾斜表面１３２に平行ではない。一部の実施形態では、歯肉側の平面状表面１３６は、ブラケットのトルク面に実質的に垂直である。
【００４９】
基部１０２での、本体部１３０の近心区画１３８の咬合側−歯肉側厚さは、遠心区画１３９の咬合側−歯肉側厚さよりも大きいことにより、図６の向きから見た場合、本体部１３０にテーパ状の外観を与える。
【００５０】
図示の実装では、本体部１３０はまた、それぞれ咬合側面１３１及び歯肉側面１３５の一部分に沿って延在する、一対の対向する凹部１４０、１４４も含む。各凹部１４０、１４４は、その一方の側が、本体部１３０の一方の側に対して開放されるように、及び、その左右の側１６５が、角度「Ｃ」で傾斜することにより、頬側方向から見た場合、台形の断面を有するように構成することができる（図６を参照）。対向する凹部１４０、１４４は、使用中に本体部１３０を把持するために施術者によって使用される、微小先端プライヤ、ピンセット、又は他の工具などの手用器具による、装置の保持を容易にする。咬合側凹部１４０は、傾斜表面１３２間に位置する、凹状表面１４１を含む。この凹状表面は、少なくともこの実施形態では、傾斜表面１３２に平行ではない向きで、頬側表面１３４と基部１０２との間に延在する。歯肉側凹部１４４もまた、凹状表面１４５を含み得る。図示の実施形態では、凹状表面１４１、１４５の双方は、装置１００のトルク面に実質的に垂直な平面に沿って延在する。凹状表面１４１、１４５のいずれか又は双方を、トルク面に対して実質的に垂直な向きで方向付けることは、このチューブが、接合中に歯に対して押圧される際に、把持している手用器具から、そのチューブが係合解除されることを防止するために役立つ。
【００５１】
任意選択的に、凹部１４０、１４４の一方又は双方には、（ピン、柱、隆起線などを含めた）突起、又は（細孔又は空洞を含めた）開口などの、定置強化構造体を設けることができる。更なる選択肢として、この定置強化構造体は、粗面、刻み付き表面、あるいは、他のタイプのパターン及び／又はクロスハッチングが設けられた表面を備え得る。任意選択的に、この定置強化構造体は、前述のものの任意の組み合わせを備え得る。
【００５２】
この定置強化構造体は、本体部１３０を把持するために施術者によって使用される、微小先端プライヤ又は他の工具などの手用器具による、装置の保持を更に容易にするものであり、施術者が口腔内で装置１００を操作して、歯表面上に装置１００を定置しているときに、その手用器具に対して装置１００が過度に移動しないことを確実にするために役立つ。この定置強化構造体の更なる選択肢及び態様は、米国特許第６，８９３，２５７号（Ｋｅｌｌｙ）で説明されている。
【００５３】
更なる選択肢として、本体部１３０は、頬側表面１３４内に、位置決めチャネル１４８を含み得る。チャネル１４８は、接合手順中に、装置１００を正確な場所に移動させるために使用することができる。例えば、装置１００の基部１０２が、接合接着剤を介して歯上に定置された時点で、施術者は、チャネル１４８内にプローブの先端を定置して、所望の場所に到達するまで、装置１０をわずかに移動させるように選択することができる。
【００５４】
ここで図４〜図６を参照すると、細長いアーチワイヤ通路１５０が、概して近心−遠心方向で、本体部１３０を横断及び貫通して延在する。アーチワイヤスロット１５０は、近心区画１５６及び遠心区画１５９を含み、遠心区画１５９は、一般に、近心区画１５６と比較して、通路１５０のより長い長さで延在する。このアーチワイヤスロットは、咬合側壁１５１、歯肉側壁１５２、頬唇側壁１５３、並びに歯対向壁又は舌側壁１５４によって画定される。
【００５５】
近心区画１５６は、壁１５１、１５２、１５３、１５４のテーパ状の凸状部分１５８を特徴とすることにより、漏斗状入口を提示する。近心区画１５６は、少なくとも２つの、一部の実施形態では少なくとも３つの、図示の実施形態では４つの、凸状壁部分１５８を含み得る。図８に示される断面を参照することによって理解することができるように、凸状壁部分１５８は、通路１５０の内部が、近心区画１５６と遠心区画１５９との間の意図的な境界を有さないか又は最小限に抑えるように、少なくとも１つの連続的湾曲の区画を有する、テーパを提供する。この方式で、アーチワイヤスロット１５０への最初の入口が、より広くなることにより、アーチワイヤ通路１５０にアーチワイヤ（図示せず）を通すことを、より容易にすることが可能となる。スロットの近心壁区画と遠心壁区画との間の移行を、排除又は最小限に抑えることによって、アーチワイヤと通路１５０との間の、あらゆる拘束的な摩擦、又は潜在的に妨害性の停止表面が低減され、それにより、迅速なアーチワイヤの挿入が容易になる。
【００５６】
図示の近心区画１５６は、通路１５０の近心通路入口１５７と遠心区画１５９との間に、連続湾曲テーパを提供する、凸状壁部分１５８を含む。他の代替的実装では、凸状壁部分１５８のうちの１つ以上は、湾曲区画間又は近心入口に位置する、平坦な平面状ランド部を含み得る。他の実施形態では、凸状壁部分１５８は、基部１０２に酷似する複合湾曲を含み得る。そのような実施形態では、近心入口１５７での、及び近心入口１５７に隣接する、第１の曲率半径は、典型的には、より遠心区画１５９に隣接する第２の曲率半径よりも大きい。複合湾曲を有する実装では、凸状壁部分１５８は、連続湾曲テーパを提示する場合もあれば、又は、１つ以上の平坦ランド区域を含む場合もある。
【００５７】
歯肉側壁１５２の湾曲表面１５８は、典型的には、最大の表面積及び曲率半径（１つ又は複数）を含む。１つの例示的実装では、湾曲表面１５８は、歯肉側壁１５２の頬側縁部及び舌側縁部で、異なる曲率を含む。例えば、歯肉側壁１５２の頬側縁部は、０．１３インチ（０．３３センチメートル）の、近心入口１５７付近での第１の半径と、０．０２インチ（０．０５センチメートル）の、遠心区画１５９に隣接する第２の半径とを有する、複合輪郭を含み得る。歯肉側壁１５２の舌側縁部は、０．４インチ（１センチメートル）の、近心入口１５７付近での第１の半径と、０．０３インチ（０．０８センチメートル）の、遠心区画１５９に隣接する第２の半径とを有する、複合輪郭を含み得る。他の寸法、及び凸状壁部分間の他の関係性が可能であり、通路１５０の、所望の近心−遠心長さ及び頬側高さに合わせて調整することができる点が、当業者には理解されるであろう。
【００５８】
アーチワイヤ通路１５０はまた、図５での実施例に関して示されるように、断面が概して長方形の構成を有する、遠心区画１５９も含む。遠心区画１５９は、通路１５０の近心区画１５６の遠心側から、壁１５１、１５２、１５３、及び壁１５４の遠心端部まで延在する。アーチワイヤ通路１５０は、長手方向横断基準面で見た場合、長方形の形状を有するが（図５を参照）、円形、正方形、卵形、及び他の好適な形状もまた可能である。本発明のバッカルチューブは、任意の有用な断面寸法を有するアーチワイヤに関して使用することができる点も、同様に理解されたい。遠心区画１５９内では、舌側壁１５４は平坦であり、頬唇側壁１５３に平行な基準面内に延在する。同様に、歯肉側壁１５２は、咬合側壁１５１に平行な基準面内に延在する。図示の実施形態では、壁１５１、１５２、１５３、１５４のいずれも、歯肉側表面１３５又は頬側表面１３３に、平行若しくは実質的に平行ではない。アーチワイヤ通路１５０のこの構成は、いずれの壁も、この装置のトルク面に、平行若しくは実質的に平行ではないことを確実にする。
【００５９】
装置１００は、任意選択的に、別の歯科矯正デバイスに接続するための、フック１６０を含み得る。好適なデバイスの例としては、患者の口腔内の他の装置に接続される、コイルバネ及び弾性力モジュールが挙げられる。任意選択的に、そのようなデバイスは、フックの少なくとも遠心部分１６２を受容する、孔又は開口部を備える端部区画を有するが、他のタイプの接続もまた可能である。この実施形態でのフック１６０は、本体部１３０の歯肉側面１３５から延出する、全体的に湾曲した構成を有する。フック１６０の湾曲した長手方向軸線は、最初に歯肉側方向で、次いで遠心方向で、本体部１３０から離れる方向に延出する。少なくとも歯肉側に延出するフック部分１６１は、平面状の頬側表面部分１３４の平面Ｐ内に存在し、平面Ｐと共平面である。このフック１６０と頬側表面１３４との共平面関係は、患者の歯肉側及び頬の隣接組織付近での、装置１００のプロファイルを低減することにより、装置１００の装着時の相対的な快適性を向上させる。他の実施形態（図示せず）では、歯肉側延出部分１６１は、基部１０２に向けて突出することにより、装置１００の頬側−舌側プロファイルを更に低減することができる。フック１６０の表面の全ては、口腔内の軟組織を刺激することを回避するように、滑らかに丸みを帯びさせることができる。
【００６０】
添付図面内に示されるような装置１００は、大臼歯の表面に直接的に接着接続されるように適合される。しかしながら、装置１０を歯の表面に結合するための、他の選択肢もまた想到される。例えば、装置１００は、患者の大臼歯を取り囲むように適合された、歯科矯正用バンドに固定することが可能である。好適な歯科矯正用バンドとしては、３Ｍ  Ｕｎｉｔｅｋ  Ｃｏｒｐｏｒａｔｉｏｎ製の、Ｖｉｃｔｏｒｙ  Ｓｅｒｉｅｓ商標のバンド、及びＵｎｉｔｅｋ商標のバンドなどの、ステンレス鋼バンドが挙げられる。
【００６１】
上記で詳細に説明された装置を含めた、本開示による大臼歯装置は、口腔内での使用に関して好適であり、かつ、歯科矯正治療の過程で通常遭遇する応力に抵抗するために十分な強度を有する、任意の材料で作製することができる。好適な材料としては、例えば、金属材料（ステンレス鋼など）、セラミック材料（単結晶又は多結晶アルミナなど）、及びプラスチック材料（繊維強化ポリカーボネートなど）が挙げられる。現時点で好ましい特定の状況では、装置１００は、金属射出成形又は積層造形プロセスによって、単一構成要素として一体的に作製される。しかしながら、代替案として、本体部１３０を（補助部の有無に関わらず）別個に製造して、次いで、溶接又はろう付け操作によって、基部１０２に直接接続することもできる。
【００６２】
装置１００の構成要素は、当業者には既知の、任意数の方法に従って製造することができる。これらの方法としては、限定するものではないが、フライス加工、インベストメント鋳造、金属射出成形、及び積層造形が挙げられる。必要に応じて、基部１０２、本体部１３０、及び補助取り付け部のうちの１つ以上はまた、セラミック、ポリマー、又は複合材料などの、他の部類の材料から製造することもできる。ポリマー構成要素が使用される場合には、これらは、任意選択的に、フライス加工、射出成形、押出成形、又は積層造形によって形成することができる。好適な積層造形プロセスの例としては、３Ｄ印刷プロセス、光造形法、熱溶解積層法、薄膜積層法、レーザ直接積層法、選択的レーザ焼結法、形状堆積法、選択的レーザ溶解法、及び固体下地硬化などの、固体自由形状製作が挙げられる。好適な３Ｄ印刷機械の例は、Ｏｂｊｅｔ  Ｇｅｏｍｅｔｒｉｅｓ  Ｌｔｄ．製のＥｄｅｎ商標の５００Ｖプリンタであり、ＦｕｌｌＣｕｒｅ７２０アクリル系光ポリマー印刷材料（同じくＯｂｊｅｔ  Ｇｅｏｍｅｔｒｉｅｓ  Ｌｔｄ．より入手可能）を使用するものである。
【００６３】
一部の実施形態では、基部１０２は、ＣＡＤ／ＣＡＭソフトウェアを使用して、独自に設計することができる。デジタルデータを使用して、例えば、装置の基部を、標的の（すなわち、対象となる接合場所の）歯表面の少なくとも一部分に近似する輪郭を備える形状に、設計及び修正することができる。例えば、多くの個人から、例えば咬合側−歯肉側方向での歯の高さ、及び近心−遠心方向での歯の幅を含めた、第１大臼歯及び第２大臼歯の頬側表面の輪郭に関するデータを収集することが可能である。次に、基部１０２の外側表面１０４の最適な構成を決定するために、統計的分析を使用して、数多くの複合輪郭を展開することが可能である。あるいは、外側表面１０２は、例えば、患者の歯列弓又はそのモデルの、口腔内若しくは口腔外の走査を使用して得られた、デジタルデータを使用して作製される、患者の歯のネガティブレプリカとすることができる。
【００６４】
図面内で例示されるような装置１００は、大臼歯で使用するために特に適合された、大臼歯装置又はバッカルチューブ装置である。しかしながら、本開示の原理は、他の歯科矯正装置でも同様に使用することができる。例えば、前歯、犬歯、小臼歯、及び前臼歯に接合するように適合された歯科矯正ブラケットもまた、複合湾曲の線の周りで屈曲する、近心ウィング部を含み得る。
【００６５】
実施形態
１．歯牙構造に接合するための歯対向表面を有する基部と、その基部から外向きに延在する本体部であって、この本体部が、顔面側壁、舌側壁、咬合側壁、及び歯肉側壁を含み、これらの壁が、ワイヤの受容のための、近心−遠心方向で延在する通路を画定し、この通路が、近心区画及び遠心区画を含む、本体部とを備え、この近心区画が、入口と、その入り口から遠心区画に向けてテーパ状の、少なくとも２つの凸状壁部分とを含み、それらの凸状壁部分が、連続的湾曲を有する区画を含む、歯科矯正装置。
２．近心区画が、３つの凸状壁部分を含む、実施形態１の歯科矯正装置。
３．咬合側壁、歯肉側壁、及び顔面側壁が、それぞれ凸状壁部分を含む、実施形態２の歯科矯正装置。
４．舌側壁上に、凸状壁部分を更に備える、実施形態３の歯科矯正装置。
５．凸状壁部分が、入口と遠心区画との間に、連続湾曲テーパを提示する、実施形態１〜４の歯科矯正装置。
６．凸状壁部分のうちの少なくとも１つが、複合湾曲を含む、実施形態１〜５の歯科矯正装置。
７．少なくとも１つの凸状壁部分が、入口と遠心区画との間に、実質的に平面状のランド部を含む、実施形態１〜４の歯科矯正装置。
８．基部が、本体部の下に存在する中央部分と、この中央部分から近心方向又は遠心方向で離間配置され、中央部分に対して回転している、少なくとも１つのウィング部とを含み、中央部分が、第１の曲率半径を含み、ウィング部が、第１の半径とは異なる第２の曲率半径を含むことにより、この基部が、概して咬合側−歯肉側軸線に沿って見た場合、複合的な近心遠心湾曲を呈する、前述の実施形態のうちのいずれかの歯科矯正装置。
９．近心ウィング部及び遠心ウィング部を含み、それらの近心ウィング部及び遠心ウィング部が、それぞれ第２の曲率半径を含む、実施形態８のバッカルチューブ装置。
１０．ウィング部が、複合湾曲の線で中央部分に対して回転し、この線が、概して咬合側−歯肉側方向で、基部にわたって延在する、実施形態８のバッカルチューブ装置。
１１．基部が、近心−遠心長さ、及び咬合側−歯肉側幅を含み、複合輪郭の線が、その基部の咬合側−歯肉側の全幅にわたって延在する、実施形態１０のバッカルチューブ装置。
１２．基部から外向きに延在する本体部であって、近心−遠心方向で延在する通路を画定する、第１の壁を含む、本体部と、歯牙構造に接合するための歯対向表面を有し、本体部の下に存在する中央部分、及び、この中央部分から近心方向若しくは遠心方向で離間配置され、中央部分に対して回転している、少なくとも１つのウィング部を含む、基部とを含み、中央部分が、第１の曲率半径を含み、ウィング部が、第１の半径とは異なる第２の曲率半径を含むことにより、この基部が、概して咬合側−歯肉側軸線に沿って見た場合、複合的な近心遠心湾曲を呈する、バッカルチューブ装置。
１３．中央部分が、基部の咬合側縁部に隣接する陥凹を含む、実施形態１２のバッカルチューブ装置。
１４．近心ウィング部及び遠心ウィング部を含み、それらの近心ウィング部及び遠心ウィング部が、それぞれ第２の曲率半径を含む、実施形態１２、１３のバッカルチューブ装置。
１５．近心ウィング部及び遠心ウィング部を含み、近心ウィング部が、第２の曲率半径を含み、遠心ウィング部が、第３の曲率半径を含む、実施形態１２、１３のバッカルチューブ装置。
１６．近心ウィング部及び遠心ウィング部が、基部の中央部分の周りで対称に配置される、実施形態１４又は１５のバッカルチューブ装置。
１７．ウィング部が、複合湾曲の線で中央部分に対して回転し、この線が、概して咬合側−歯肉側方向で、基部にわたって延在する、実施形態１２のバッカルチューブ装置。
１８．基部が、近心−遠心長さ、及び咬合側−歯肉側幅を含み、複合輪郭の線が、その基部の咬合側−歯肉側の全幅にわたって延在する、請求項１７のバッカルチューブ装置。
１９．複合湾曲の線が、基部を斜めに横断して延在する、実施形態１７又は１８のバッカルチューブ装置。
２０．近心の複合湾曲の線で中央部分に対して回転している、近心ウィング部と、遠心の複合湾曲の線で中央部分に対して回転している、遠心ウィング部とを含み、近心の複合湾曲の線及び遠心の複合湾曲の線が、基部の咬合側歯肉側の全幅にわたって延在する、実施形態１２〜１６のバッカルチューブ装置。
２１．基部が、咬合側縁部及び歯肉側縁部を含み、近心の複合湾曲の線及び遠心の複合湾曲の線が、咬合側縁部及び歯肉側縁部で、互いに離間配置される、実施形態２０のバッカルチューブ装置。
２２．本体部が、顔面側壁、舌側壁、咬合側壁、及び歯肉側壁を含み、これらの壁が、ワイヤの受容のための、近心−遠心方向で延在して、近心区画及び遠心区画を含む、通路を画定し、この近心区画が、漏斗状入口を含み、遠心区画に向けてテーパ状の、少なくとも３つの凸状壁部分を含み、それらの凸状壁部分が、連続的湾曲を有する、実施形態２１のバッカルチューブ装置。
２３．歯表面に接合するための基部と、その基部から外向きに延在する本体部とを含み、基部が、トルク面に接する曲面を含み、本体部が、外側の顔面側表面と、近心−遠心方向で延在するアーチワイヤスロットを画定する、第１の壁部分とを含み、外側の顔面側表面が、第２の平面を画定し、この第２の平面は、トルク面に実質的に平行であるが、いずれの壁部分も、トルク面に平行ではない、バッカルチューブ装置。
【００６６】
本明細書に引用される特許、特許文献、及び刊行物の完全な開示内容は、それぞれが個々に組み込まれているかのように、その全体が参照により組み込まれる。本発明の範囲及び趣旨から逸脱することなく、本発明に対する様々な修正及び変更が、当業者には明らかとなるであろう。本発明は、本明細書に記載された例示的な実施形態及び実施例によって過度に限定されることを意図するものではなく、そのような実施例及び実施形態は、例としてのみ提示されるものであり、本発明の範囲は、以下のように本明細書に記載される、請求項によってのみ限定されることを意図するものである点を理解されたい。
【図１】
2017524431.tif 000004
【図２】
2017524431.tif 000005
【図３】
2017524431.tif 000006
【図４】
2017524431.tif 000007
【図５】
2017524431.tif 000008
【図６】
2017524431.tif 000009
【図７】
2017524431.tif 000010
【図８】
2017524431.tif 000011
【図９】
2017524431.tif 000012
【図１０】
2017524431.tif 000013
【図１１】
2017524431.tif 000014
【図１２】
2017524431.tif 000015
【国際調査報告】
2017524431.tif 000016
2017524431.tif 000017
2017524431.tif 000018
2017524431.tif 000019
2017524431.tif 000020